【手続補正書】
【提出日】平成17年8月2日(2005.8.2)
【手続補正１】
【補正対象書類名】特許請求の範囲
【補正対象項目名】全文
【補正方法】変更
【補正の内容】
【特許請求の範囲】
【請求項１】
制御システムであって：
放射エネルギーの形式の命令信号に応答する、少なくとも１つの電気負荷制御装置；及び、
前記少なくとも１つの電気負荷制御装置によって受信される放射エネルギーの形式の命令信号を発生するための送信機であって、前記送信機は電気信号の形式で命令信号を受信するための１組の導電性の端子を備え、前記送信機はさらに各々が電気回路に接続するための極性を持った２組の放射エネルギー発生器を備え、前記放射エネルギー発生器は前記導電性の端子を備えた電気回路に機能可能に接続しており、前記放射エネルギー発生器は前記２組の放射エネルギー発生器の一方の極性がもう一方の放射エネルギー発生器の極性に対して反転するように前記電気回路に接続しており、前記放射エネルギー発生器はさらに前記２組の放射エネルギー発生器が互いに並列になるように接続されていることを特徴とする送信機を備える制御システム。
【請求項２】
前記放射エネルギー発生器の各々が赤外線エネルギーを生成し、前記送信機が前記放射エネルギー発生器を囲むように構成された赤外線透過性の筐体をさらに備える、請求項１に記載の制御システム。
【請求項３】
前記放射エネルギー発生器が実質的に平面状の表面を画定する支持部材上に取り付けられたＬＥＤであり、前記筐体が互いに対向した状態で配置された１組のへこみ部分を含み、少なくとも１つのＬＥＤが前記へこみ部分の各々の付近に配置されている、請求項２に記載の制御システム。
【請求項４】
前記へこみ部分の各々が実質的に平面状のデフレクター部分を画定し、前記デフレクター部分が前記ＬＥＤ支持部材の表面に対して斜角に方向付けられている、請求項３に記載の制御システム。
【請求項５】
前記ＬＥＤの各々が前記筐体の対応するデフレクター部分に向かってＩＲ放射線の円錐を照射するように構成されており、前記ＩＲ放射線の円錐の大部分の赤外線エネルギーが前記ＬＥＤ支部部材の表面に対して実質的に平行方向に反射されるように前記デフレクター部分が方向付けられている、請求項４に記載の制御システム。
【請求項６】
前記少なくとも１つの電気負荷制御装置が赤外線透過性の裏面カバーを備えた調光装置であり、前記送信機が取付け用ブラケットに取り付けられており、前記取付け用ブラケットが前記調光装置の裏面カバーの側壁に結合するための、第１のクリップの組を備えている、請求項１に記載の制御システム。
【請求項７】
前記取付け用ブラケットが、前記調光装置の前記裏面カバーが固定されるヨーク部と結合するための、第２のクリップの組をさらに備え、前記取付け用ブラケットが前記ヨーク部を介した前記送信機の接地用接続を可能にするために電気伝導性である、請求項１に記載の制御システム。
【請求項８】
少なくとも１つのＬＥＤドライバを備えた赤外線送信機のための電源であって：
電源コンデンサー；
フィルターコンデンサー及び前記ＬＥＤドライバに電流パルスを供給するために前記電源コンデンサーと直列に接続された抵抗器を備えるフィルター回路；及び、
前記フィルターコンデンサーと前記電源コンデンサーとの間に分離を与えるために、前記フィルター回路の前記抵抗器と並列に接続されたダイオードを備える電源。
【請求項９】
制御システムであって：
放射エネルギーの形式の命令信号に応答する、少なくとも１つの電気負荷制御装置；
前記少なくとも１つの電気負荷制御装置によって受信される放射エネルギーの形式の命令信号を生成することが可能な、少なくとも１つの放射エネルギー発生器；及び、
前記放射エネルギー発生器からの放射エネルギーの少なくとも一部を所望の方向にそらせるために、前記少なくとも１つの放射エネルギー発生器と前記少なくとも１つの電気負荷制御装置との間に配置された放射エネルギーデフレクターを備える制御システム。
【請求項１０】
前記少なくとも１つの放射エネルギー発生器の各々が赤外線エネルギーを生成するＬＥＤであり、前記制御システムが前記少なくとも１つのＬＥＤを囲むように構成された赤外線透過性の筐体をさらに備え、前記放射エネルギーデフレクターが前記筐体の前記ＬＥＤの付近に配置された実質的に平面状の部分によって画定されている、請求項９に記載の制御システム。
【請求項１１】
前記少なくとも１つのＬＥＤが実質的に平面状の支持表面を有する支持部材上に支持されており、前記デフレクターが前記ＬＥＤ支持表面に対して斜角に方向付けられている、請求項１０に記載の制御システム。
【請求項１２】
前記少なくとも１つのＬＥＤが前記デフレクターに向けられる赤外線エネルギーの円錐を生成するように構成されている、請求項１１に記載の制御システム。
【請求項１３】
前記ＬＥＤによって生成された前記赤外線エネルギーの円錐が約３０°の半角を有する、請求項１２に記載の制御システム。
【請求項１４】
制御システムであって：
放射エネルギーの形式の命令信号に応答する、少なくとも１つの電気負荷制御装置；
電気信号の受信への応答で放射エネルギーの形式の命令信号を送信することが可能な送信機；
前記送信機に接続している電気伝導性のワイヤ；及び、
前記ワイヤの前記送信機に対して反対側に接続されている主制御装置であって、前記主制御装置は前記導電性ワイヤを介して前記送信機に電気命令信号を伝達するために電気命令信号を生成し、前記主制御装置は前記主制御装置による電気命令信号の生成のためにユーザーによって操作可能な、少なくとも１つのアクチュエーターを備え、前記主制御装置は放射エネルギー受信機を備え、前記主制御装置はさらに前記送信機に信号を中継するために、放射エネルギー信号の受信への応答で電気命令信号を生成することが可能であることを特徴とする主制御装置を備える制御システムであって、
前記制御システムはさらに、前記主制御装置が前記少なくとも１つのアクチュエーターの使用への応答でのみ前記電気命令信号を生成するように、前記主制御装置が前記放射エネルギーの受信への応答で前記電気命令信号を生成することを不可能にするように設定することが可能であることを特徴とする制御システム。
【請求項１５】
前記送信機が赤外線エネルギーを生成することが可能な複数のＬＥＤを備える、請求項１４に記載の制御システム。
【請求項１６】
前記少なくとも１つの電気負荷制御装置が裏面カバーを備える調光装置であり、前記送信機が前記調光装置の裏面カバーに固定されている、請求項１４に記載の制御システム。
【請求項１７】
前記少なくとも１つの電気負荷制御装置が電源ボックス内に配置された複数の調光装置を備え、前記送信機が前記複数の調光装置のうちの中央に配置された調光装置に固定されている、請求項１６に記載の制御システム。
【請求項１８】
制御システムであって：
放射エネルギーの形式の命令信号を生成するために少なくとも１つの放射エネルギー発生器を備えた送信機；
放射エネルギーの形式の命令信号に応答する、少なくとも１つの電気負荷制御装置であって、前記送信機によって生成された放射エネルギーに対して透過性のカバー部分を有する電気負荷制御装置；及び、
前記送信機を前記電気負荷制御装置に取り付けるための送信機支持用ブラケットであって、前記少なくとも１つの放射エネルギー発生器を前記電気負荷制御装置に対して位置付けるために前記電気負荷制御装置の前記カバー部分に結合するブラケットを備える制御システム。
【請求項１９】
前記少なくとも１つの電気負荷制御装置が前記送信機によって生成された放射エネルギーに対して透過性の裏面カバーを備えた調光装置であり、前記ブラケットが前記裏面カバーの側壁に結合するように構成された第１のクリップの組を備える、請求項１８に記載の制御システム。
【請求項２０】
前記調光装置の前記裏面カバーがヨークに固定されており、前記ブラケットが前記ヨークに結合するように構成された第２のクリップの組をさらに備え、前記ブラケットが前記送信機の前記ヨークを介した接地用接続を与えるために電気伝導性である、請求項１９に記載の制御システム。